(57)【要約】【課題】関連番組検索時に、視聴者が望む検索ワードを提示することを目的とする。【解決手段】視聴判断部９は、視聴されたチャンネル情報及び時間情報を含む視聴履歴と、番組情報保持部１０に保持された番組補足データとに基づいて、視聴された番組を特定する。検索ワード抽出部１３は、視聴判断部９により特定された番組に関する番組補足データから検索ワードを抽出する。番組検索部１５は、抽出された検索ワードと、番組情報保持部１０に保持された番組補足データとを用いて、検索ワードに関連する関連番組を検索する。【選択図】図１
2007300497.tif 000002
【特許請求の範囲】
【請求項１】
複数の番組の中から視聴番組に関連する関連番組を検索する番組検索装置であって、
各番組に対応するチャンネル情報及び放送時間情報を含む番組補足データを保持する番組情報保持手段と、
視聴されたチャンネル情報及び時間情報を含む視聴履歴と、前記番組情報保持手段に保持された前記番組補足データとに基づいて、視聴された番組を特定する視聴判断手段と、
前記視聴判断手段により特定された番組に関する前記番組補足データから、予め定められた抽出条件に従って検索ワードを抽出する検索ワード抽出手段と、
前記検索ワード抽出手段により抽出された前記検索ワードと、前記番組情報保持手段に保持された前記番組補足データとを用いて、前記複数の番組の中から前記検索ワードに関連する前記関連番組を検索する番組検索手段と、を備えることを特徴とする番組検索装置。
【請求項２】
前記視聴判断手段は、前記視聴履歴及び前記番組補足データに基づいて、番組の時間長に対する視聴された時間長の比率を求め、当該比率が予め定められた比率よりも大きい場合、当該番組を視聴された番組として特定する、ことを特徴とする請求項１に記載の番組検索装置。
【請求項３】
前記番組情報保持手段は、さらに各番組を時間経過に沿って分割した複数のセグメントの各々に関するセグメント補足データを保持し、
前記視聴判断手段は、前記視聴履歴と、前記番組情報保持手段に保持された前記セグメント補足データとに基づいて視聴されたセグメントを特定し、
前記検索ワード抽出手段は、前記視聴判断手段により特定されたセグメントに関する前記セグメント補足データから、予め定められた抽出条件に従って前記検索ワードを抽出する、ことを特徴とする請求項１に記載の番組検索装置。
【請求項４】
前記視聴判断手段は、前記視聴履歴及び前記セグメント補足データに基づいて、セグメントの時間長に対する視聴された時間長の比率を求め、当該比率が予め定められた比率よりも大きい場合に、当該セグメントを視聴されたセグメントとして特定する、ことを特徴とする請求項３に記載の番組検索装置。
【請求項５】
前記検索ワード抽出手段は、複数の検索ワードを抽出し、
前記番組検索装置は、前記検索ワード抽出手段により抽出された複数の検索ワードを視聴者に提示して、複数の検索ワードの中から前記関連番組の検索に用いる検索ワードを選択させる検索ワード提示手段と、をさらに備える、ことを特徴とする請求項１乃至４のいずれか１項に記載の番組検索装置。
【請求項６】
前記視聴判断手段は、番組の視聴状態に応じた重み付けを行い、視聴された番組又はセグメントを特定する、ことを特徴とする請求項１乃至５のいずれか１項に記載の番組検索装置。
【請求項７】
前記番組の視聴状態は、番組を全画面で視聴している状態と、複数の番組を同時に視聴している状態と、番組及び電子番組表を同時に視聴している状態のうちの少なくともいずれか１つの状態を含み、
前記番組を全画面で視聴している状態に対応する重み付け係数は、他の状態に対応する重み付け係数よりも大きい、ことを特徴とする請求項６に記載の番組検索装置。
【請求項８】
複数の番組の中から視聴番組に関連する関連番組を検索する番組検索装置であって、
各番組に対応するチャンネル情報及び放送時間情報を含む番組補足データ、及び各番組を時間経過に沿って分割した複数のセグメントの各々に関するセグメント補足データを保持する番組情報保持手段と、
視聴者からセグメントの指定要求を受け、当該指定要求の履歴を保持する指定要求保持手段と、
前記指定要求保持手段で保持された前記指定要求の履歴に基づいて、当該指定要求を受けたセグメントに関する前記セグメント補足データから、予め定められた抽出条件に従って検索ワードを抽出する検索ワード抽出手段と、
前記検索ワード抽出手段により抽出された前記検索ワードと前記番組情報保持手段に保持された前記番組補足データとを用いて、前記複数の番組の中から前記検索ワードに関連する前記関連番組を検索する番組検索手段と、を備える、ことを特徴とする番組検索装置。
【請求項９】
前記検索ワード抽出手段は、複数の前記検索ワードを抽出し、
前記番組検索装置は、前記検索ワード抽出手段により抽出された前記複数の検索ワードを提示し、前記複数の検索ワードの中から前記関連番組の検索に用いる前記検索ワードを選択させる検索ワード提示手段をさらに備える、ことを特徴とする請求項８に記載の番組検索装置。
【請求項１０】
複数の番組の中から視聴番組に関連する関連番組を検索する番組検索装置の制御方法であって、
各番組に対応するチャンネル情報及び放送時間情報を含む番組補足データを保持する番組情報保持工程と、
視聴されたチャンネル情報及び時間情報を含む視聴履歴と、前記番組情報保持工程で保持された前記番組補足データとに基づいて、視聴された番組を特定する視聴判断工程と、
前記視聴判断工程により特定された番組に関する前記番組補足データから、予め定められた抽出条件に従って検索ワードを抽出する検索ワード抽出工程と、
前記検索ワード抽出工程により抽出された前記検索ワードと、前記番組情報保持工程で保持された前記番組補足データとを用いて、前記複数の番組の中から前記検索ワードに関連する前記関連番組を検索する番組検索工程と、を備えることを特徴とする番組検索装置の制御方法。
【請求項１１】
前記視聴判断工程は、前記視聴履歴及び前記番組補足データに基づいて、番組の時間長に対する視聴された時間長の比率を求め、当該比率が予め定められた比率よりも大きい場合、当該番組を視聴された番組として特定する、ことを特徴とする請求項１０に記載の番組検索装置の制御方法。
【請求項１２】
前記番組情報保持工程は、さらに各番組を時間経過に沿って分割した複数のセグメントの各々に関するセグメント補足データを保持し、
前記視聴判断工程は、前記視聴履歴と、前記番組情報保持工程で保持された前記セグメント補足データとに基づいて視聴されたセグメントを特定し、
前記検索ワード抽出工程は、前記視聴判断工程により特定されたセグメントに関する前記セグメント補足データから、予め定められた抽出条件に従って前記検索ワードを抽出する、ことを特徴とする請求項１０に記載の番組検索装置の制御方法。
【請求項１３】
前記視聴判断工程は、前記視聴履歴及び前記セグメント補足データに基づいて、セグメントの時間長に対する視聴された時間長の比率を求め、当該比率が予め定められた比率よりも大きい場合に、当該セグメントを視聴されたセグメントとして特定する、ことを特徴とする請求項１２に記載の番組検索装置の制御方法。
【請求項１４】
前記検索ワード抽出工程は、複数の検索ワードを抽出し、
前記番組検索装置の制御方法は、前記検索ワード抽出手段により抽出された複数の検索ワードを視聴者に提示して、複数の検索ワードの中から前記関連番組の検索に用いる検索ワードを選択させる検索ワード提示工程と、をさらに備える、ことを特徴とする請求項１０乃至１３のいずれか１項に記載の番組検索装置の制御方法。
【請求項１５】
前記視聴判断工程は、番組の視聴状態に応じた重み付けを行い、視聴された番組又はセグメントを特定する、ことを特徴とする請求項１０乃至１４のいずれか１項に記載の番組検索装置の制御方法。
【請求項１６】
前記番組の視聴状態は、番組を全画面で視聴している状態と、複数の番組を同時に視聴している状態と、番組及び電子番組表を同時に視聴している状態のうちの少なくともいずれか１つの状態を含み、
前記番組を全画面で視聴している状態に対応する重み付け係数は、他の状態に対応する重み付け係数よりも大きい、ことを特徴とする請求項１５に記載の番組検索装置の制御方法。
【請求項１７】
複数の番組の中から視聴番組に関連する関連番組を検索する番組検索装置の制御方法であって、
各番組に対応するチャンネル情報及び放送時間情報を含む番組補足データ、及び各番組を時間経過に沿って分割した複数のセグメントの各々に関するセグメント補足データを保持する番組情報保持工程と、
視聴者からセグメントの指定要求を受け、当該指定要求の履歴を保持する指定要求保持工程と、
前記指定要求保持工程で保持された前記指定要求の履歴に基づいて、当該指定要求を受けたセグメントに関する前記セグメント補足データから、予め定められた抽出条件に従って検索ワードを抽出する検索ワード抽出工程と、
前記検索ワード抽出工程により抽出された前記検索ワードと前記番組情報保持工程で保持された前記番組補足データとを用いて、前記複数の番組の中から前記検索ワードに関連する前記関連番組を検索する番組検索工程と、を備える、ことを特徴とする番組検索装置の制御方法。
【請求項１８】
前記検索ワード抽出工程は、複数の前記検索ワードを抽出し、
前記番組検索装置の制御方法は、前記検索ワード抽出工程により抽出された前記複数の検索ワードを提示し、前記複数の検索ワードの中から前記関連番組の検索に用いる前記検索ワードを選択させる検索ワード提示工程をさらに備える、ことを特徴とする請求項１７に記載の番組検索装置の制御方法。
【発明の詳細な説明】
【技術分野】
【０００１】
本発明は、番組検索装置及び番組検索装置の番組検索方法に関し、特に複数の番組の中から視聴番組に関連する関連番組を検索する番組検索装置及び番組検索装置の番組検索方法に関する。
【背景技術】
【０００２】
近年、放送局では、従来の映像及び音声からなる番組だけでなく、番組を補足する補足データの提供も行っている。この補足データが番組を補足する範囲、内容、量等は、年々充実してきている。地上波デジタル放送、ＢＳ/ＣＳデジタル放送、地上波アナログ放送及びＢＳアナログ放送のいずれに関しても、向こう８日間の各局の番組放送スケジュールが提供されている。すなわち、放送時刻や番組タイトル等、全番組に付加される基本データに加え、番組説明や出演者情報、ハイビジョン映像であるとかステレオ放送であるか等の番組映像や音声フォーマットに関するデータも提供される。さらに、著作権情報や視聴年齢制限に関する情報等の様々なデータが、多くの番組に付加されている（非特許文献1参照）。
【０００３】
更に、サーバ型放送等では、上記の番組全体に関する補足データに加え、シリーズ番組や続編等の補足データ、スポーツでの得点シーン、音楽番組での特定アーティスト出演シーン等の、番組内の特定部分に関する補足データも提供される予定である。（非特許文献２参照）
これらの補足データを受信装置で処理することで、例えば電子番組表（ＥＰＧ）として表示可能となり、視聴者の番組選択等に対する支援をすることが可能となる。即ち、送信側の放送局や受信側の受信装置が、特定の意図のもとに番組の補足データを処理することで、視聴者に対し様々な便宜を図ることが可能となる。例えば、特許文献１には、番組中のキーワードを利用して関連番組を参照する受信装置が記載されている。
【非特許文献１】「デジタル放送に使用する番組配列情報（ＡＲＩＢ、ＳＴＤ−Ｂ１０）」、４．０版、社団法人電波産業会
【非特許文献２】「サーバ型放送における符号化、伝送及び蓄積制御方式（ＡＲＩＢ、ＳＴＤ−Ｂ３８）」、１．２版、社団法人電波産業会
【特許文献１】特開２００２−３２５２１４号公報
【発明の開示】
【発明が解決しようとする課題】
【０００４】
上記した特許文献１に記載の受信装置では、経過時間により分割される複数の話題ブロックによって番組が形成される場合、関連番組の参照元となるキーワードは、視聴者の要求がなされた時点の話題ブロックに属するキーワードであった。
【０００５】
しかし、視聴中の番組が複数の話題ブロック（以下、セグメントと称する）によって形成されたものであったとしても、どの範囲が１つのセグメントであるか等のセグメントの構造について視聴者が認識しているとは限らない。通常、セグメントは、そのセグメントの開始位置と終了位置又は継続時間で特定される。そのため、視聴者は、提示されるキーワード（以降、検索ワードと称する。）に違和感を覚える場合があった。
【０００６】
また、特定のセグメントの開始直後に視聴者の要求がなされると、視聴をまだほとんどしていないセグメントに基づいた検索ワードが提示されるため、視聴者が望む検索ワードが提示されない場合もあった。
【０００７】
さらに、視聴中のセグメントに基づき検索ワードを抽出するため、検索したいと思う場面が表示された時点で検索を要求する必要があった。このような場面は、視聴者にとって興味のある、そして積極的に視聴したいと思う場面であることが多く、検索要求を忘れたり、検索操作のために、視聴が疎かになってしまうことがあった。
【０００８】
そこで、本発明は、関連番組検索時に、視聴者が望む検索ワードを提示することが可能な番組検索装置及び番組検索装置の制御方法を提供することを目的とする。また、視聴の邪魔にならない任意のタイミングで関連番組検索を行うことが可能な番組検索装置及び番組検索装置の制御方法を提供することを目的とする。
【課題を解決するための手段】
【０００９】
上記の目的を達成するために、本発明の実施形態に係る番組検索装置は、複数の番組の中から視聴番組に関連する関連番組を検索する番組検索装置であって、
各番組に対応するチャンネル情報及び放送時間情報を含む番組補足データを保持する番組情報保持手段と、
視聴されたチャンネル情報及び時間情報を含む視聴履歴と、前記番組情報保持手段に保持された前記番組補足データとに基づいて、視聴された番組を特定する視聴判断手段と、
前記視聴判断手段により特定された番組に関する前記番組補足データから、予め定められた抽出条件に従って検索ワードを抽出する検索ワード抽出手段と、
前記検索ワード抽出手段により抽出された前記検索ワードと、前記番組情報保持手段に保持された前記番組補足データとを用いて、前記複数の番組の中から前記検索ワードに関連する前記関連番組を検索する番組検索手段と、を備えることを特徴とする。
【００１０】
上記の目的を達成するために、本発明の、他の実施形態に係る番組検索装置は、複数の番組の中から視聴番組に関連する関連番組を検索する番組検索装置であって、
各番組に対応するチャンネル情報及び放送時間情報を含む番組補足データ、及び各番組を時間経過に沿って分割した複数のセグメントの各々に関するセグメント補足データを保持する番組情報保持手段と、
視聴者からセグメントの指定要求を受け、当該指定要求の履歴を保持する指定要求保持手段と、
前記指定要求保持手段で保持された前記指定要求の履歴に基づいて、当該指定要求を受けたセグメントに関する前記セグメント補足データから、予め定められた抽出条件に従って検索ワードを抽出する検索ワード抽出手段と、
前記検索ワード抽出手段により抽出された前記検索ワードと前記番組情報保持手段に保持された前記番組補足データとを用いて、前記複数の番組の中から前記検索ワードに関連する前記関連番組を検索する番組検索手段と、を備える、ことを特徴とする。
【００１１】
上記の目的を達成するために、本発明の、さらに他の実施形態に係る番組検索装置の制御方法は、複数の番組の中から視聴番組に関連する関連番組を検索する番組検索装置の制御方法であって、
各番組に対応するチャンネル情報及び放送時間情報を含む番組補足データを保持する番組情報保持工程と、
視聴されたチャンネル情報及び時間情報を含む視聴履歴と、前記番組情報保持工程で保持された前記番組補足データとに基づいて、視聴された番組を特定する視聴判断工程と、
前記視聴判断工程により特定された番組に関する前記番組補足データから、予め定められた抽出条件に従って検索ワードを抽出する検索ワード抽出工程と、
前記検索ワード抽出工程により抽出された前記検索ワードと、前記番組情報保持工程で保持された前記番組補足データとを用いて、前記複数の番組の中から前記検索ワードに関連する前記関連番組を検索する番組検索工程と、を備えることを特徴とする。
【００１２】
上記の目的を達成するために、本発明の、さらに他の実施形態に係る番組検索装置の制御方法は、複数の番組の中から視聴番組に関連する関連番組を検索する番組検索装置の制御方法であって、
各番組に対応するチャンネル情報及び放送時間情報を含む番組補足データ、及び各番組を時間経過に沿って分割した複数のセグメントの各々に関するセグメント補足データを保持する番組情報保持工程と、
視聴者からセグメントの指定要求を受け、当該指定要求の履歴を保持する指定要求保持工程と、
前記指定要求保持工程で保持された前記指定要求の履歴に基づいて、当該指定要求を受けたセグメントに関する前記セグメント補足データから、予め定められた抽出条件に従って検索ワードを抽出する検索ワード抽出工程と、
前記検索ワード抽出工程により抽出された前記検索ワードと前記番組情報保持工程で保持された前記番組補足データとを用いて、前記複数の番組の中から前記検索ワードに関連する前記関連番組を検索する番組検索工程と、を備える、ことを特徴とする。
【発明の効果】
【００１３】
本発明によれば、視聴履歴を用いて、視聴された番組又はセグメントを特定することにより、視聴者が望む検索ワードを提示することが可能となる。また、視聴者からセグメントの指定要求を受け、当該指定要求の履歴を用いることにより、視聴の邪魔にならない任意のタイミングで関連番組検索を行うことが可能になる。
【発明を実施するための最良の形態】
【００１４】
以下、本発明の実施の形態について図面を参照して説明する。
【００１５】
＜実施形態１＞
図１は、本発明の実施形態１が適用された番組検索装置１と、番組検索装置１に接続される表示装置２の概略構成を示すブロック図である。図１において、ＴＶ（テレビジョン放送）受信部６は、ＲＦ端子４から入力されてきたＴＶ放送波に含まれる映像及び音声からなる番組データや、番組データに付加された補足データを受信して蓄積し、選局処理等を施して出力する。ＴＶ受信部６からの出力信号は、表示制御部１７を介して表示装置２に供給される。このＴＶ受信部６は、選局処理を実行する選局回路を内蔵する。なお、この番組検索装置１は、例えば、サーバ型放送、地上波デジタル放送、ＢＳ/ＣＳデジタル放送、ＣＡＴＶ放送等を受信する放送受信装置、インターネットを介して番組に関する情報を受信する受信装置等である。
【００１６】
ユーザインタフェース部８は、リモコン３を使用する視聴者からの指示をリモコン信号として入力端子５及びリモコン信号受信部７を介して受ける。ユーザインタフェース部８は、視聴者からの指示に従ってＴＶ受信部６の動作を制御する。視聴者は、リモコン３を操作して、「選局」や「電子番組表の起動」を指示したり、「はい」や「いいえ」等の選択肢を提示する操作画面で各種指示を与えたりする。
【００１７】
視聴判断部９は、ＴＶ受信部６による選局動作を監視すると共に記憶し、番組内の各セグメントについて「見た」又は「見ていない」の判断を行う。この視聴判断部９の動作の詳細は後述する。
【００１８】
番組情報保持部１０は、ＴＶ受信部６が受信した番組の補足データを保持する。補足データには、番組タイトル、放送時刻、放送チャンネル、番組説明等の番組全体に関する番組補足データと、セグメントタイトル、セグメント開始位置、セグメント終了位置又は継続時間、番組内のセグメントに関するセグメント補足データとがある。たとえば、視聴する番組がサッカーの試合で、シュートシーンをセグメントとした場合を考える。この場合には、例えばセグメントタイトルが「シュート１」、セグメント開始位置が「番組開始より１５分３０秒経過」、セグメント説明が「試合開始１０分、コーナーキックからのシュート。ゴールならず。」等となる。なお、番組情報保持部１０は、過去に受信した番組のみならず、各放送局からの電子番組表（ＥＰＧ）の番組（放送予定の番組）の補足データも保持する。例えば、向こう８日間の全ての放送局の全ての番組の補足データが、番組情報保持部１０に保持される。視聴者が意識することなく、向こう８日間分の全ての放送局の全ての番組の補足データが自動的に番組情報保持部１０に取り込まれるように構成されている。
【００１９】
検索要求検知部１１は、ユーザインタフェース部８を監視し、関連番組の検索要求が視聴者によってリモコン３で入力されたことを検知し、検索ワードの抽出対象となるセグメントを特定するようにセグメント特定部１２へ通知する。視聴者からの関連番組の検索要求は、リモコン３の特定ボタンの押下、メニュー等の操作画面を経由しての「関連番組検索」選択や決定等によって入力される。
【００２０】
セグメント特定部１２は、関連番組の検索要求があった場合、番組情報保持部１０に保持されている補足データを用いて、視聴判断部９により「見た」と判断されたセグメントを特定する。このセグメント特定部１２の動作の詳細は後述する。
【００２１】
検索ワード抽出部１３は、セグメント特定部１２で特定されたセグメントのセグメント補足データを解析し、１つ以上の検索ワードを抽出する。検索ワード提示部１４は、検索ワード抽出部１３により抽出された各検索ワードを選択肢とする関連番組検索画面を提示する。番組検索部１５は、番組情報保持部１０に保持された補足データを用いて、視聴者が選択した検索ワードに合致する番組（関連番組）を検索する。そして、検索結果提示部１６は、検索ワードに合致した番組（関連番組）を視聴者が把握しやすいように配列した検索結果画面を生成する。検索結果提示部１６により生成された検索結果画面は、表示制御部１７を介して表示装置２で表示される。
【００２２】
視聴判断部９が視聴判断を行う処理について、以下に例を挙げて説明する。図２に、視聴判断部９の処理フローを示す。
【００２３】
まず、ステップＳ３０１で、電源投入や外部接続機器からの映像切換要求等によってＴＶ受信部６が選局処理を開始すると先ずステップＳ３０２に進み、視聴判断部９はＴＶ受信部６の選局状態を記憶する。その後、ステップＳ３０３に進み、視聴判断部９はＴＶ受信部６の選局状態に変化があるか否かを調べる。もし、ＴＶ受信部６の選局状態に変化があれば、ステップＳ３０４に進み、変化後の選局状態を記憶してから、ステップＳ３０５に進む。一方、ＴＶ受信部６の選局状態に変化がない場合は、ステップＳ３０３からステップＳ３０５に進む。ステップＳ３０２及びＳ３０４で記憶する選局状態は、少なくとも選局チャンネルを識別する値（チャンネル番号、チャンネルＩＤ等）と選局開始時刻を含む。このような選局状態の変化毎の記録を、本明細書においては、視聴履歴と呼ぶ。
【００２４】
図３に、視聴履歴の一例を示す。図３において、2005年12月12日の12時にチャンネル101の視聴を開始し（履歴No.1）、１時間後の13時にチャンネル102へ選局が行われ（履歴No.2）、チャンネル102の視聴が開始されている。さらに、３０分後の13時30分にチャンネル106へ選局が行われ（履歴No.3）チャンネル106の視聴が開始されている。続けて１分間隔でチャンネル105、106、105、106と選局が行われ（履歴No.4、5、6、7）、14時にチャンネル109へ選局が行われている（履歴No.8）。ここで、現在時刻を14時とする。
【００２５】
図２に戻り説明を続けると、ステップＳ３０５で、視聴判断の開始条件が満たされない間は、ステップＳ３０３に戻る。このため、履歴No.4、5、6、7のように、視聴履歴は継続的に更新されることとなる。一方、ステップＳ３０５で視聴判断の開始条件が満たされると、ステップＳ３０６に進み、番組情報保持部１０で保持されている補足データと視聴履歴とを照合することで番組の特定を行う。
【００２６】
視聴判断の開始条件は、例えば、「一定期間（３０分や３時間等）が経過したか？」としても良いし、「視聴履歴として記憶された履歴の数が一定数（１０個や５０個等）に到達したか？」としても良い。また、関連番組の検索要求やＴＶ視聴の終了要求等によって、ＴＶ受信部６が特定の状態となる事で判断してもよい。ここで、ＴＶ視聴終了要求としたのは、終了直前までの視聴履歴に基づいた視聴有無の判断を、次回（ＴＶ視聴の開始要求時）としないで済むためである。
【００２７】
図４に示した番組スケジュールにおいて、図３に示した視聴履歴を適用すると、僅かな時間でも表示装置２に表示された番組は、図５に示した番組Ａ、Ｂ、Ｃ、Ｄ及びＥとなる。図５中の太線は、選局した状態を視覚的に表現したものである。現在時刻が14時なので、番組Ｅにはまだ視聴履歴が発生していないため、太線はない。図４で示した番組スケジュールは、番組情報保持部１０にて保持されている番組補足データに含まれる番組の放送チャンネルおよび放送時間（開始時刻と終了時刻/継続時間）より得られる。例えば、図３での履歴No.1が指すチャンネル101での放送番組は、図４でのチャンネル101の12時から13時までの１時間番組（図５における番組Ａ）となる。また、履歴No.3、5、7が指すチャンネル106での放送番組は、図４でのチャンネル106の13時30分から14時までの３０分番組（図５における番組Ｄ）となる。
【００２８】
図２に戻り、ステップＳ３０７において、視聴履歴と番組補足データとの照合により僅かな時間でも表示装置２に表示されたと特定された番組は、視聴の有無を判定され、ステップＳ３０８で判定結果が記憶される。ステップＳ３０７では、番組の総視聴時間（選局時間の合計）の割合が閾値を超えたか否かで、視聴の有無が判定される。
【００２９】
次に、視聴判定と結果の記憶が、全ての特定された番組について行われたかをステップＳ３０９で判断する。全ての特定された番組について試聴判定と結果の記憶が完了していない場合はステップＳ３０９からステップＳ３０６に戻り、ステップＳ３０６からステップＳ３０９までの動作を繰り返す。そして、全ての特定された番組について試聴判定と結果の記憶が完了すれば、ステップＳ３１０に進んで視聴判断部９による処理が終了する。
【００３０】
図６は、図３、４及び５で示した視聴履歴および番組スケジュールにおいて特定された番組Ａ、Ｂ、Ｃ及びＤについて総視聴時間（視聴／番組長）の比率と視聴判定結果を示したものである。図６に示したように、閾値を50％や90％とすると、番組Ｃは判定×の「見ていない」の判定となり、閾値を5％とすると番組Ｃは判定○の「見た」と判断される。番組が複数のセグメントにより構成されている場合は、個々のセグメントについて視聴判断を行う。
【００３１】
例えば、図５で示した番組Ａが５つのセグメントで構成されている場合、５つのセグメントに対応する５つのセグメント補足データが番組情報保持部１０により保持される。
【００３２】
図７に番組Ａの番組補足データの一例を、また、図８に番組Ａの持つ１つのセグメントのセグメント補足データの一例をそれぞれ示す。図７を参照して、番組Ａは、“crid://ch101/tips_xmas_newyear”で特定される番組タイトルが「クリスマス・お正月の特集情報」の番組であることが分かる。また、図８を参照して、“ＳＥＧ３”で識別されるセグメントは、セグメントタイトルが「映画紹介」、セグメント開始位置が21（番組開始後２０分）、セグメント継続時間が20（２０分間）であることが分かる。
【００３３】
図９に、番組Ａを構成する５つのセグメントＳＥＧ１〜ＳＥＧ５に関するセグメント補足データの例を示す。図９中の３番目のセグメントＳＥＧ３のセグメント補足データが図８に示されている。。セグメント単位での視聴判断は、セグメントの総視聴時間の割合が閾値を超えたか否かで行われ、判定結果はセグメント単位で記憶される。
【００３４】
次いで、セグメント特定部１２が、検索要求検知部１１からの通知により、視聴中の番組における視聴有のセグメントを特定する処理について、以下に例を挙げて説明する。
【００３５】
図１０に、セグメント特定部１２の処理フローを示す。セグメント特定部１２は、ステップＳ６０１で、検索要求検知部１１から関連番組の検索要求の通知を受け取ると処理を開始する。そして、ステップＳ６０２で、関連番組の検索要求の発生時刻と番組情報保持部１０にて保持されている番組の番組補足データに基づいて、視聴中の番組を特定する。次に、ステップＳ６０３に進み、特定された番組のセグメントのセグメント補足データを検索する。セグメントのセグメント補足データの検索は、視聴中であると特定された番組の番組補足データに含まれる番組特定情報を用いて行われる。
【００３６】
番組Ａを視聴中の番組とし、図７の“crid://ch101/tips_xmas_newyear”を番組Ａの番組補足データが示す番組特定情報とすると、検索により得られるセグメント、図９に示す５つ（ＳＥＧ１〜ＳＥＧ５）となる。
【００３７】
次に、セグメント特定部１２は、ステップＳ６０４で、視聴番組がセグメントを持っているか否か判別する。もし視聴番組がセグメントを持っていなければ、ステップＳ６０４からステップＳ６０８に進み、番組の番組補足データを検索ワード抽出対象の補足データとする。一方、視聴番組がセグメントを持っていれば、ステップＳ６０４からステップＳ６０５に進み、視聴判断部９により「見た」と判断されたセグメントを特定する。かくして、ステップＳ６０６で、「見た」と判断されるセグメントが特定された場合は、ステップＳ６０７に進み、「見た」と判断されたセグメントのセグメント補足データを検索ワード抽出対象の補足データとする。しかしながら、ステップＳ６０６で、「見た」と判断されたセグメントが特定されなかった場合は、ステップＳ６０８に進んで、番組の番組補足データを検索ワード抽出対象の補足データとする。そして、ステップＳ６０９で特定処理を完了する。
【００３８】
図９で示した番組Ａ視聴中の12時28分に、関連番組の検索要求が発生した場合の視聴状態を、図１１（ａ）及び図１１（ｂ）に示す。番組Ａを番組の放送開始から継続して視聴していた場合を図１１（ａ）に示し、番組Ａの放送開始後の１１分からの７分間は視聴していなかった場合を図１１（ｂ）に示す。図１２（ａ）及び図１２（ｂ）は、それぞれ図１１（ａ）及び図１１（ｂ）に対応する番組Ａの総視聴時間（視聴／セグメント長）の比率と視聴判断結果を示す図である。ただし、視聴判断部９による視聴判断の閾値を50としている。
【００３９】
検索ワード抽出対象の補足データが特定されると、検索ワード抽出部１３は、特定された補足データに含まれる情報から検索ワードを抽出する。検索ワード提示部１４は、検索ワード抽出部１３により抽出された検索ワードが選択肢となった関連番組の検索画面を表示装置２に提示する。検索ワードの抽出条件は、予め設定しておいても良いし、視聴者が事前に指定しても良いし、視聴者指定や視聴判断結果を用いて得た嗜好情報に基づき決定しても良い。図１３に、検索ワードの抽出条件の一例を示す。図１３において、番組の「キーワード」「出演者」「あらすじ」「タイトル」の各々に対して、抽出対象の検索ワードのうち採用する数、及び優先順位が抽出条件として定められている。
【００４０】
図１４（ａ）及び図１４（ｂ）は、抽出された検索ワードを用いて提示される関連番組の検索画面の一例を示す図である。図１４（ａ）は、図１２（ａ）において「見た」と判定されたセグメントＳＥＧ１、ＳＥＧ２について、図９に示したセグメント補足データと、図１３に示した抽出条件とを用いて検索ワードを６つ抽出した場合を示している。図１４（ｂ）は、図１２（ｂ）において「見た」と判定されたセグメントＳＥＧ１について、図９に示したセグメント補足データと、図１３に示した抽出条件とを用いて検索ワードを６つ抽出した場合を示している。図１２（ａ）では、「見た」と判断されたセグメントは、ＳＥＧ１とＳＥＧ２の２つとなるため、キーワードから２つ、出演者から２つ、あらすじから２つの、合計６つの検索ワードが図１４（ａ）で示すように表示装置２に提示される。また、図１２（ｂ）では、「見た」と判断されたセグメントはＳＥＧ１の１つとなる。そのため、キーワードから２つ、出演者から２つ、あらすじから１つ（抽出単語は２つだがキーワードと重複するため１つとなった）、タイトルから１つの、合計６つ検索ワードが図１４（ｂ）で示すように表示装置２に提示される。
【００４１】
抽出対象の検索ワードが設定された採用数よりも多い場合（出演者６人から２人を選ぶ等）は、例えば、出現順や文字コード順で絞り込んでも良い。また、使用実績（過去に検索ワードとして何回使用されたか）順で絞り込んでも良いし、嗜好度の高い順で絞り込んでも良い。
【００４２】
関連番組の検索画面から視聴者により所望の検索ワードが指定されると、番組検索部１５は、番組情報保持部１０にて保持されている番組の補足データに指定された検索ワードに合致するものがあるかを調べる。この場合、基本的に、ＥＰＧデータとして取り込まれている全ての放送局の全ての番組の補足データを検索する。そして、検索結果提示部１６は、検索結果画面を表示装置２に提示する。
【００４３】
指定された検索ワードに合致する番組がない場合は、「関連番組はありません」等のメッセージを伴う検索結果画面や、空リストから成る検索結果画面が表示装置２に提示される。指定された検索ワードに合致する番組がみつかった場合は、該当する番組の補足データから得た番組のタイトル、放送チャンネル、放送時間等の情報を含んだ番組リストから成る検索結果画面が表示装置２に提示される。
【００４４】
図１５に、指定された検索ワードに合致する番組が２件見つかった場合の検索結果画面の例を示す。提示された検索結果画面を用いて視聴者ができることとしては、番組リスト上の選択番組のあらすじや出演者等の補足データの表示、録画予約等がある。
【００４５】
「見た」と判断されたセグメントのセグメント補足データから検索ワードを抽出するため、関連番組の検索要求が同一時刻（12時28分）にされたとしても、図１４（ａ）及び（ｂ）で示したように、提示される検索ワードが異なることがある。「見ていない」と判断されたセグメントからの検索ワードが提示されることはないため、提示された検索ワードに視聴者が違和感を覚えることはなくなる。
【００４６】
また、セグメント開始直後に関連番組の検索要求が発生した場合でも、現在のセグメントからではなく以前の「見た」と判断されたセグメントからの検索ワードが提示されるため、視聴者が欲する検索ワードが提示される確立が高くなる。
【００４７】
上記実施形態１によれば、視聴者が任意のタイミングで関連番組の検索要求を出すだけで、視聴者が「見た」と判断されたセグメントからの検索ワードを用いた番組検索が行える。
【００４８】
また、関連番組の検索方法に適用されるコンピュータ（ＣＰＵ或いはＭＰＵ）に上記実施形態にて述べた処理を実現するためのソフトウェアプログラムコードを格納し、このプログラムコードを実行することは本発明の範疇に含まれる。
【００４９】
また、このプログラムコードおよびプログラムコードを格納した記憶媒体（フロッピー（登録商標）ディスク、ハードディスク、光ディスク、光磁気ディスク、CD-ROM、磁気テープ、不揮発性メモリ、ROMなど）も本発明を構成する。
【００５０】
＜実施形態２＞
実施形態１では、選局動作を監視した視聴履歴に基づいて視聴判断を行う場合について述べたが、実施形態２では、選局動作に加えて、選局以外の他の動作も監視した視聴履歴に基づいて視聴判断を行う。ここで、選局以外の他の動作とは、電子番組表の表示／操作や２画面での番組視聴等の選局状態を維持しての動作のことである。従って、全画面を使っての写真表示やインターネット視聴等の選局を伴わない操作については、視聴履歴の対象外となる。
【００５１】
視聴判断部９がＴＶ受信部６の選局中の動作を監視し、視聴履歴として記憶する情報は、少なくとも選局チャンネルを識別する値（チャンネル番号、チャンネルＩＤ等）と対象動作の発生時刻と対象動作を識別する値（アクション名、アクションＩＤ等）である。
【００５２】
図１６に、視聴履歴の対象となる動作（アクション）の例を示す。図１６を参照して、各アクション「ＧＵＩ操作」「二画面（主）表示」「二画面表示（副）表示」「（通常の）選局」に対して、重み付け係数が予め設定されている。図１６では、「ＧＵＩ操作」「二画面（主）表示」「二画面表示（副）表示」「（通常の）選局」の重み付け係数を、それぞれ「0.2」「0.8」「0.2」「1.0」とした例を示している。視聴判断部９が、視聴履歴と補足データとから、番組やセグメントの視聴を判断する処理について、以下に例を挙げて説明する。
【００５３】
図１７に、視聴履歴の一例を示す。図１７において、2005年12月12日の12時に、電源投入によりチャンネル101へ選局が行われ（履歴No.1）ている。その１時間後の13時にチャンネル102へ選局が行われ（履歴No.2）、１１分後の13時11分にＥＰＧ（電子番組表）の閲覧が開始され（履歴No.3）、２０分後の13時30分に、ＥＰＧからチャンネル106へ選局が行われている（履歴No.4）。
【００５４】
図４で示した番組スケジュールにおいて、図１７に示した視聴履歴を適用すると、僅かな時間でも表示装置２に表示された番組は、図１８に示すように、番組Ａ、Ｂ及びＤとなる。図１８における太線は、選局状態を視覚的に表現したものである。また、図１９は、図１７で示した視聴履歴および放送スケジュールにおいて特定された番組Ａ及びＢについて、総視聴時間（視聴／番組長）の比率と視聴判定結果を示したものである。12時からの１時間番組Ａは、図１７の視聴履歴No.1及びNo.2からすると、選局以外の動作は行われていないことがわかる。
【００５５】
従って、番組長６０分に対して総視聴時間が６０分で、比率が100％となり、「見た」と判定される（判定○）。13時からの３０分番組Ｂは、図１７の視聴履歴No.2、No.3及びNo.4から、番組開始から１０分間は通常の番組映像画面で視聴され、番組開始１０分後からの２０分間は、ＥＰＧを閲覧しながら視聴されていたことがわかる。ＥＰＧを閲覧しながらの番組視聴は、番組だけの視聴に比べて番組内容を視聴者が把握していないことが多く、視聴者がこの番組を「見た」と認識していない場合も多い。このため、図１６に示したように、「ＧＵＩ操作」のアクションに対する重み付け係数を0.2としている。
【００５６】
視聴判定に用いる総視聴時間を、重み付け係数を用いて算出することで、これらの視聴状態の違いを視聴判定結果に反映できる。
【００５７】
図１９で示した番組Ｂの視聴相当時間は、13時から13時10分までの重み付け係数を1とし、13時10分から13時29分までの重み付け係数を0.2として算出され１０分×1と、２０分×0.2の合計１４分となる。この視聴相当時間は、実際の視聴時間ではなく、内容把握の度合いを考慮して算出された時間である。従って、番組Ｂの視聴比率は、３０分の内の１４分で、約47％となり、閾値が50％とすれば、「見ていない」と判断される（判定×）。
【００５８】
図２０は、図１８の番組Ａが、図９で示した５つのセグメントＳＥＧ１〜ＳＥＧ５から構成されており、番組Ａ視聴中の12時28分に関連番組の検索要求が発生した場合の視聴状態を示したものである。視聴者は、番組Ａの開始後１１分間は番組Ａだけを視聴し、その後の７分間はＥＰＧを閲覧しながら視聴したものとする。
【００５９】
この場合の番組Ａの総視聴時間（視聴／セグメント長）の比率と視聴判定結果を図２１に示す。図２１において、12時から１０分間はセグメントＳＥＧ１を継続的に視聴しており、総視聴時間の比率は100％となり、「見た」の判定される（判定○）。ここで、視聴判断部９による視聴判断の閾値を50としている。また、12時10分から１０分間のセグメントＳＥＧ２に対しては、セグメント開始１分後から７分間はＥＰＧを閲覧しながら視聴しており、総視聴時間の比率はＥＰＧ閲覧中の重み付け係数を0.2とすると44％となり、「見ていない」と判定される（判定×）。また、12時20分から２０分間のセグメントＳＥＧ３に関しては、関連番組の検索要求が発生するまでの８分間のみ番組を視聴している。したがって、総視聴時間の比率は重み付け係数を1とすると40％となり、「見ていない」と判定される（判定×）。
【００６０】
このように、実施形態２では、選局動作に加えて、選局以外の他の動作も監視した視聴履歴に基づいて視聴判断を行う。したがって、選局されたとしても「見ていない」と判断された（ＥＰＧ閲覧等で視聴者が番組内容を把握していない）セグメントからは検索ワードを抽出しないため、提示された検索ワードに視聴者が違和感を覚えることがなくなる。
【００６１】
上記実施形態２によれば、視聴者が任意のタイミングで関連番組の検索要求を出すだけで、「見た」と判断された（視聴者が番組内容を把握している）セグメントからの検索ワードを用いた番組検索が行える。
【００６２】
＜実施形態３＞
これまで説明した実施形態１および実施形態２では、視聴履歴を用いた視聴判断により「見た」と判断されたセグメントを特定する場合について述べたが、実施形態３では、視聴者による明示的な指示の有無でセグメントを特定する。この明示的な指示とは、視聴者による特定の操作（以降、指定要求と称する）のことであり、リモコンの特定ボタンの押下としても良いし、メニュー等の操作画面を経由しての「あとで関連番組検索」選択及び決定としても良い。
【００６３】
図２２は、本発明の実施形態３が適用される番組検索装置１００の概略構成を示すブロック図であって、図１と対比される図である。図２２を参照して、図１と異なる点は、視聴判断部９が指定要求保持部２０で置換されている点である。なお、図２２の番組検索装置１００において、図１に示した番組検索装置１と同様の機能を有する部分には同一の参照番号を付し、ここでは詳細な説明は繰り返さない。
【００６４】
指定要求保持部２０は、視聴者による指定要求の履歴を保持するものである。指定要求保持部２０の動作の詳細は後述する。セグメント特定部１２は、関連番組の検索要求の発生時点におけるセグメントを、指定要求保持部２０の指定履歴と番組情報保持部１０の補足データとに基づいて特定するものである。セグメント特定部１２の動作の詳細は後述する。
【００６５】
指定要求保持部２０が、視聴者からの指定要求に基づき指定履歴を保持する処理について、以下に例を挙げて説明する。指定履歴として扱う情報は、少なくとも選局チャンネルを識別する値（チャンネル番号、チャンネルＩＤ等）と指定要求の発生時刻である。図２３に、指定履歴の一例を示す。図２３において、2005年12月12日の12時8分、チャンネル101を選局中に指定要求が行われている（履歴No.1）。さらに、12時22分及び12時26分にチャンネル101を選局中に指定要求が行われている（履歴No.2，No.3）。
【００６６】
次に、セグメント特定部１２が、指定履歴と番組情報保持部１０の補足データとに基づいて、視聴者が指定したセグメントを特定する処理について、以下に例を挙げて説明する。図２４に、セグメント特定部１２の処理フローを示す。
【００６７】
セグメント特定部１２は、ステップＳ８０１で、検索要求検知部１１から関連番組の検索要求の通知を受け取ると処理を開始する。そして、ステップＳ８０２で、指定要求保持部２０にて保持されている指定履歴と番組情報保持部１０にて保持されている補足データとに基づいて、指定要求されたセグメントのセグメント補足データを検索する。次に、セグメント特定部１２は、ステップＳ８０３で、対応する番組が指定要求されたセグメントを持っているか否かを判別する。もし指定要求されたセグメントがあれば、ステップＳ８０３からステップＳ８０４に進み、このセグメントのセグメント補足データを検索ワード抽出対象の補足データとする。一方、もし指定要求されたセグメントがなかった場合には、ステップＳ８０３からステップＳ８０５に進み、セグメントの特定処理を完了させる。  図２５は、図９で示した５つのセグメントで構成された番組Ａを視聴中の12時28分に、関連番組の検索要求が発生した場合の指定要求と検索要求のタイミングを示す図であり、図２３に示した指定履歴に対応させている。図２４のステップＳ８０２でのセグメント検索の結果、12時8分に発生した指定要求（履歴No.1）から、セグメントＳＥＧ１が特定される。また、12時22分に発生した指定要求（履歴No.2）と12時26分に発生した指定要求（履歴No.3）とから、セグメントＳＥＧ３が特定される。
【００６８】
そして、検索ワード抽出部１３は、視聴者が明示的に指定したセグメントＳＥＧ１，ＳＥＧ３から検索ワードを抽出する。ここでは、視聴者が「関連番組の検索を行いたいが、関連番組検索画面や検索結果画面が提示されることによって視聴を邪魔されたくない」場合を想定している。視聴者は、指定要求を行ってセグメントを指定しておき、関連番組検索画面や検索結果画面の提示で視聴が邪魔されることを容認できるようになってから、任意のタイミングで検索要求をすることができる。
【００６９】
上記実施形態３によれば、視聴者が任意のタイミングで指定要求および関連番組の検索要求を出すことにより、視聴者が明示的に指定したセグメントからの検索ワードを用いた番組検索が可能となる。
【００７０】
また、本発明の目的は、前述した実施形態の機能を実現するソフトウェアのプログラムコードを記録した記憶媒体を、システムあるいは装置に供給しても達成可能である。すなわち、そのシステムあるいは装置のコンピュータ（またはＣＰＵやＭＰＵ）が記憶媒体に格納されたプログラムコードを読出し実行することによっても、達成されることは言うまでもない。この場合、記憶媒体から読出されたプログラムコード自体が前述した実施形態の機能を実現することになり、そのプログラムコードを記憶した記憶媒体は本発明を構成することになる。
【００７１】
プログラムコードを供給するための記憶媒体としては、例えば、フレキシブルディスク、ハードディスク、光ディスク、光磁気ディスク、ＣＤ−ＲＯＭ、ＣＤ−Ｒ、磁気テープ、不揮発性の半導体メモリカード、ＲＯＭなどを用いることができる。また、コンピュータが読出したプログラムコードを実行することにより、前述した実施形態の機能が実現される場合もある。
【００７２】
しかし、さらにそのプログラムコードの指示に基づき、コンピュータ上で稼働しているＯＳ（オペレーティングシステム）などが実際の処理の一部または全部を行い、その処理によって前述した実施形態の機能が実現される場合も含まれることは言うまでもない。
【００７３】
さらに、記憶媒体から読出されたプログラムコードが、コンピュータに挿入された機能拡張ボードやコンピュータに接続された機能拡張ユニットに備わるメモリに書込まれる場合もあり得る。その後、そのプログラムコードの指示に基づき、その機能拡張ボードや機能拡張ユニットに備わるＣＰＵなどが実際の処理の一部または全部を行い、その処理によって前述した実施形態の機能が実現される場合も含まれることは言うまでもない。
【図面の簡単な説明】
【００７４】
【図１】本発明の実施形態１として適用される番組検索装置の機能的構成を示すブロック図である。
【図２】本発明の実施形態１の番組検索装置における視聴判断の処理動作を説明するフローチャート図である。
【図３】本発明の実施形態１の番組検索装置における視聴履歴の例を示す図である。
【図４】本発明の実施形態１の番組検索装置における番組スケジュールの例を示す図である。
【図５】本発明の実施形態１の番組検索装置における視聴履歴と番組スケジュールの対比例を示す図である。
【図６】本発明の実施形態１の番組検索装置における番組単位での視聴判定結果の例を示す図である。
【図７】本発明の実施形態１の番組検索装置における番組の番組補足データの記述例を示す図である。
【図８】本発明の実施形態１の番組検索装置におけるセグメントのセグメント補足データの記述例を示す図である。
【図９】本発明の実施形態１の番組検索装置におけるセグメントのセグメント補足データの内容例を示す図である。
【図１０】本発明の実施形態１の番組検索装置におけるセグメント特定の処理動作を説明するフローチャート図である。
【図１１】本発明の実施形態１の番組検索装置における視聴履歴とセグメント構成の対比例を示す図である。
【図１２】本発明の実施形態１の番組検索装置におけるセグメント単位での視聴判定結果の例を示す図である。
【図１３】本発明の実施形態１の番組検索装置における検索ワード抽出対象の例を示す図である。
【図１４】本発明の実施形態１の番組検索装置における関連番組検索画面の例を示す図である。
【図１５】本発明の実施形態１の番組検索装置における検索結果画面の例を示す図である。
【図１６】本発明の実施形態２の番組検索装置における視聴履歴対象動作の例を示す図である。
【図１７】本発明の実施形態２の番組検索装置における視聴履歴の例を示す図である。
【図１８】本発明の実施形態２の番組検索装置における視聴履歴と番組スケジュールの対比例を示す図である。
【図１９】本発明の実施形態２の番組検索装置における番組単位での視聴判定結果の例を示す図である。
【図２０】本発明の実施形態２の番組検索装置における視聴履歴とセグメント構成の対比例を示す図である。
【図２１】本発明の実施形態２の番組検索装置におけるセグメント単位での視聴判定結果の例を示す図である。
【図２２】本発明の実施形態３として適用される番組検索装置の機能的構成を示すブロック図である。
【図２３】本発明の実施形態３の番組検索装置における指定履歴の例を示す図である。
【図２４】本発明の実施形態３の番組検索装置におけるセグメント特定の処理動作を説明するフローチャート図である。
【図２５】本発明の実施形態３の番組検索装置における指定履歴とセグメント構成の対比例を示す図である。
【符号の説明】
【００７５】
３  リモコン
６  ＴＶ受信部
８  ユーザインタフェース部
９  視聴判断部
１０  番組情報保持部
１１  検索要求検知部
１２  セグメント特定部
１３  検索ワード抽出部
１４  検索ワード提示部
１５  番組検索部
１６  検索結果提示部
２０  指定要求保持部
【図１】
2007300497.tif 000003
【図２】
2007300497.tif 000004
【図３】
2007300497.tif 000005
【図４】
2007300497.tif 000006
【図５】
2007300497.tif 000007
【図６】
2007300497.tif 000008
【図７】
2007300497.tif 000009
【図８】
2007300497.tif 000010
【図９】
2007300497.tif 000011
【図１０】
2007300497.tif 000012
【図１１】
2007300497.tif 000013
【図１２】
2007300497.tif 000014
【図１３】
2007300497.tif 000015
【図１４】
2007300497.tif 000016
【図１５】
2007300497.tif 000017
【図１６】
2007300497.tif 000018
【図１７】
2007300497.tif 000019
【図１８】
2007300497.tif 000020
【図１９】
2007300497.tif 000021
【図２０】
2007300497.tif 000022
【図２１】
2007300497.tif 000023
【図２２】
2007300497.tif 000024
【図２３】
2007300497.tif 000025
【図２４】
2007300497.tif 000026
【図２５】
2007300497.tif 000027
【手続補正書】
【提出日】平成19年6月25日(2007.6.25)
【手続補正１】
【補正対象書類名】特許請求の範囲
【補正対象項目名】全文
【補正方法】変更
【補正の内容】
【特許請求の範囲】
【請求項１】
複数の番組のそれぞれに対応するチャンネル情報及び放送時間情報を含む番組補足データを保持する番組情報保持手段と、
ユーザによる検索要求を受け付ける受付手段と、
電源が投入されてから前記検索要求を受け付けた時点までに選局されたチャンネル情報及び時間情報を含む視聴履歴と、前記番組情報保持手段に保持された前記番組補足データとに基づいて、視聴された番組を特定する視聴判断手段と、
前記視聴判断手段により特定された番組に関する前記番組補足データから、予め定められた抽出条件に従って検索ワードを抽出する検索ワード抽出手段と、
前記検索ワード抽出手段により抽出された前記検索ワードと、前記番組情報保持手段に保持された前記番組補足データとを用いて、前記複数の番組の中から前記検索ワードに関連する関連番組を検索する番組検索手段と、を備えることを特徴とする番組検索装置。
【請求項２】
前記視聴判断手段は、前記視聴履歴及び前記番組補足データに基づいて、番組の時間長に対する視聴された時間長の比率を求め、当該比率が予め定められた比率よりも大きい場合、当該番組を視聴された番組として特定する、ことを特徴とする請求項１に記載の番組検索装置。
【請求項３】
前記番組情報保持手段は、さらに前記複数の番組をそれぞれ時間経過に沿って分割した複数のセグメントの各々に関するセグメント補足データを保持し、
前記視聴判断手段は、前記視聴履歴と、前記番組情報保持手段に保持された前記セグメント補足データとに基づいて、電源が投入されてから前記検索要求を受け付けた時点までに視聴されたセグメントを特定し、
前記検索ワード抽出手段は、前記視聴判断手段により特定されたセグメントに関する前記セグメント補足データから、予め定められた抽出条件に従って前記検索ワードを抽出する、ことを特徴とする請求項１に記載の番組検索装置。
【請求項４】
前記視聴判断手段は、前記視聴履歴及び前記セグメント補足データに基づいて、セグメントの時間長に対する視聴された時間長の比率を求め、当該比率が予め定められた比率よりも大きい場合に、当該セグメントを視聴されたセグメントとして特定する、ことを特徴とする請求項３に記載の番組検索装置。
【請求項５】
前記検索ワード抽出手段は、複数の検索ワードを抽出し、
前記番組検索装置は、前記検索ワード抽出手段により抽出された複数の検索ワードを視聴者に提示して、複数の検索ワードの中から前記関連番組の検索に用いる検索ワードを選択させる検索ワード提示手段と、をさらに備える、ことを特徴とする請求項１乃至４のいずれか１項に記載の番組検索装置。
【請求項６】
前記視聴判断手段は、番組の視聴状態に応じた重み付けを行い、視聴された番組又はセグメントを特定する、ことを特徴とする請求項１乃至５のいずれか１項に記載の番組検索装置。
【請求項７】
前記番組の視聴状態は、１つの番組を全画面で視聴している状態と、複数の番組を同時に視聴している状態と、番組及び電子番組表を同時に視聴している状態のうちの少なくともいずれか１つの状態を含み、
前記１つの番組を全画面で視聴している状態に対応する重み付け係数は、他の状態に対応する重み付け係数よりも大きい、ことを特徴とする請求項６に記載の番組検索装置。
【請求項８】
複数の番組のそれぞれに対応するチャンネル情報及び放送時間情報を含む番組補足データ、及び前記複数の番組をそれぞれ時間経過に沿って分割した複数のセグメントの各々に関するセグメント補足データを保持する番組情報保持手段と、
視聴者からセグメントの指定要求を受け、当該指定要求の履歴を保持する指定要求保持手段と、
前記指定要求保持手段で保持された前記指定要求の履歴に基づいて、当該指定要求を受けたセグメントに関する前記セグメント補足データから、予め定められた抽出条件に従って検索ワードを抽出する検索ワード抽出手段と、
前記検索ワード抽出手段により抽出された前記検索ワードと前記番組情報保持手段に保持された前記番組補足データとを用いて、前記複数の番組の中から前記検索ワードに関連する前記関連番組を検索する番組検索手段と、を備える、ことを特徴とする番組検索装置。
【請求項９】
前記検索ワード抽出手段は、複数の前記検索ワードを抽出し、
前記番組検索装置は、前記検索ワード抽出手段により抽出された前記複数の検索ワードを提示し、前記複数の検索ワードの中から前記関連番組の検索に用いる前記検索ワードを選択させる検索ワード提示手段をさらに備える、ことを特徴とする請求項８に記載の番組検索装置。
【請求項１０】
複数の番組のそれぞれに対応するチャンネル情報及び放送時間情報を含む番組補足データを保持する番組情報保持工程と、
ユーザによる検索要求を受け付ける受付工程と、
電源が投入されてから前記検索要求を受け付けた時点までに選局されたチャンネル情報及び時間情報を含む視聴履歴と、前記番組情報保持工程で保持された前記番組補足データとに基づいて、視聴された番組を特定する視聴判断工程と、
前記視聴判断工程により特定された番組に関する前記番組補足データから、予め定められた抽出条件に従って検索ワードを抽出する検索ワード抽出工程と、
前記検索ワード抽出工程により抽出された前記検索ワードと、前記番組情報保持工程で保持された前記番組補足データとを用いて、前記複数の番組の中から前記検索ワードに関連する関連番組を検索する番組検索工程と、を備えることを特徴とする番組検索装置の制御方法。
【請求項１１】
前記視聴判断工程は、前記視聴履歴及び前記番組補足データに基づいて、番組の時間長に対する視聴された時間長の比率を求め、当該比率が予め定められた比率よりも大きい場合、当該番組を視聴された番組として特定する、ことを特徴とする請求項１０に記載の番組検索装置の制御方法。
【請求項１２】
前記番組情報保持工程は、さらに前記複数の番組をそれぞれ時間経過に沿って分割した複数のセグメントの各々に関するセグメント補足データを保持し、
前記視聴判断工程は、前記視聴履歴と、前記番組情報保持工程で保持された前記セグメント補足データとに基づいて、電源が投入されてから前記検索要求を受け付けた時点までに視聴されたセグメントを特定し、
前記検索ワード抽出工程は、前記視聴判断工程により特定されたセグメントに関する前記セグメント補足データから、予め定められた抽出条件に従って前記検索ワードを抽出する、ことを特徴とする請求項１０に記載の番組検索装置の制御方法。
【請求項１３】
前記視聴判断工程は、前記視聴履歴及び前記セグメント補足データに基づいて、セグメントの時間長に対する視聴された時間長の比率を求め、当該比率が予め定められた比率よりも大きい場合に、当該セグメントを視聴されたセグメントとして特定する、ことを特徴とする請求項１２に記載の番組検索装置の制御方法。
【請求項１４】
前記検索ワード抽出工程は、複数の検索ワードを抽出し、
前記番組検索装置の制御方法は、前記検索ワード抽出手段により抽出された複数の検索ワードを視聴者に提示して、複数の検索ワードの中から前記関連番組の検索に用いる検索ワードを選択させる検索ワード提示工程と、をさらに備える、ことを特徴とする請求項１０乃至１３のいずれか１項に記載の番組検索装置の制御方法。
【請求項１５】
前記視聴判断工程は、番組の視聴状態に応じた重み付けを行い、視聴された番組又はセグメントを特定する、ことを特徴とする請求項１０乃至１４のいずれか１項に記載の番組検索装置の制御方法。
【請求項１６】
前記番組の視聴状態は、１つの番組を全画面で視聴している状態と、複数の番組を同時に視聴している状態と、番組及び電子番組表を同時に視聴している状態のうちの少なくともいずれか１つの状態を含み、
前記１つの番組を全画面で視聴している状態に対応する重み付け係数は、他の状態に対応する重み付け係数よりも大きい、ことを特徴とする請求項１５に記載の番組検索装置の制御方法。
【請求項１７】
複数の番組のそれぞれに対応するチャンネル情報及び放送時間情報を含む番組補足データ、及び前記複数の番組をそれぞれ時間経過に沿って分割した複数のセグメントの各々に関するセグメント補足データを保持する番組情報保持工程と、
視聴者からセグメントの指定要求を受け、当該指定要求の履歴を保持する指定要求保持工程と、
前記指定要求保持工程で保持された前記指定要求の履歴に基づいて、当該指定要求を受けたセグメントに関する前記セグメント補足データから、予め定められた抽出条件に従って検索ワードを抽出する検索ワード抽出工程と、
前記検索ワード抽出工程により抽出された前記検索ワードと前記番組情報保持工程で保持された前記番組補足データとを用いて、前記複数の番組の中から前記検索ワードに関連する前記関連番組を検索する番組検索工程と、を備える、ことを特徴とする番組検索装置の制御方法。
【請求項１８】
前記検索ワード抽出工程は、複数の前記検索ワードを抽出し、
前記番組検索装置の制御方法は、前記検索ワード抽出工程により抽出された前記複数の検索ワードを提示し、前記複数の検索ワードの中から前記関連番組の検索に用いる前記検索ワードを選択させる検索ワード提示工程をさらに備える、ことを特徴とする請求項１７に記載の番組検索装置の制御方法。
【手続補正３】
【補正対象書類名】明細書
【補正対象項目名】０００２
【補正方法】変更
【補正の内容】
【０００２】
近年、放送局では、従来の映像及び音声からなる番組だけでなく、番組を補足する補足データの提供も行っている。この補足データが番組を補足する範囲、内容、量等は、年々充実してきている。地上波デジタル放送、ＢＳ/ＣＳデジタル放送、地上波アナログ放送及びＢＳアナログ放送のいずれに関しても、向こう８日間の各局の番組放送スケジュールが提供されている。すなわち、放送時刻や番組タイトル等、全番組に付加される基本データに加え、番組説明や出演者情報、ハイビジョン映像であるとかステレオ放送であるか等の番組映像フォーマットや音声フォーマットに関するデータも提供される。さらに、シリーズ番組や続編等の補足データ、著作権情報や視聴年齢制限に関する情報等の様々なデータが、多くの番組に付加されている（非特許文献1参照）。
【手続補正４】
【補正対象書類名】明細書
【補正対象項目名】０００３
【補正方法】変更
【補正の内容】
【０００３】
更に、サーバ型放送等では、上記の番組全体に関する補足データに加え、スポーツでの得点シーン、音楽番組での特定のアーティストの出演シーン等の、番組内の特定部分（セグメント）に関する補足データも提供される予定である。（非特許文献２参照）
これらの補足データを受信装置で処理することで、例えば電子番組表（ＥＰＧ）として表示可能となり、視聴者の番組選択等に対する支援をすることが可能となる。即ち、送信側の放送局や受信側の受信装置が、特定の意図のもとに番組の補足データを処理することで、視聴者に対し様々な便宜を図ることが可能となる。例えば、特許文献１には、番組中のキーワードを利用して関連番組を参照する受信装置が記載されている。
【非特許文献１】「デジタル放送に使用する番組配列情報（ＡＲＩＢ、ＳＴＤ−Ｂ１０）」、４．３版、社団法人電波産業会
【非特許文献２】「サーバ型放送における符号化、伝送及び蓄積制御方式（ＡＲＩＢ、ＳＴＤ−Ｂ３８）」、１．２版、社団法人電波産業会（Ｐ．４７−Ｐ．４９）
【特許文献１】特開２００２−３２５２１４号公報
【手続補正５】
【補正対象書類名】明細書
【補正対象項目名】０００７
【補正方法】変更
【補正の内容】
【０００７】
さらに、視聴中のセグメントに基づき検索ワードを抽出するため、検索したいと思う場面が表示された時点で検索を要求する必要があった。このような場面は、視聴者にとって興味のある、そして積極的に視聴したいと思う場面であることが多く、検索要求の操作を忘れたり、検索操作のために、視聴が疎かになってしまうことがあった。
【手続補正６】
【補正対象書類名】明細書
【補正対象項目名】０００９
【補正方法】変更
【補正の内容】
【０００９】
上記の目的を達成するために、本発明の実施形態に係る番組検索装置は、
複数の番組のそれぞれに対応するチャンネル情報及び放送時間情報を含む番組補足データを保持する番組情報保持手段と、
ユーザによる検索要求を受け付ける受付手段と、
電源が投入されてから前記検索要求を受け付けた時点までに選局されたチャンネル情報及び時間情報を含む視聴履歴と、前記番組情報保持手段に保持された前記番組補足データとに基づいて、視聴された番組を特定する視聴判断手段と、
前記視聴判断手段により特定された番組に関する前記番組補足データから、予め定められた抽出条件に従って検索ワードを抽出する検索ワード抽出手段と、
前記検索ワード抽出手段により抽出された前記検索ワードと、前記番組情報保持手段に保持された前記番組補足データとを用いて、前記複数の番組の中から前記検索ワードに関連する関連番組を検索する番組検索手段と、を備えることを特徴とする。
【手続補正７】
【補正対象書類名】明細書
【補正対象項目名】００１０
【補正方法】変更
【補正の内容】
【００１０】
上記の目的を達成するために、本発明の、他の実施形態に係る番組検索装置は、
複数の番組のそれぞれに対応するチャンネル情報及び放送時間情報を含む番組補足データ、及び前記複数の番組をそれぞれ時間経過に沿って分割した複数のセグメントの各々に関するセグメント補足データを保持する番組情報保持手段と、
視聴者からセグメントの指定要求を受け、当該指定要求の履歴を保持する指定要求保持手段と、
前記指定要求保持手段で保持された前記指定要求の履歴に基づいて、当該指定要求を受けたセグメントに関する前記セグメント補足データから、予め定められた抽出条件に従って検索ワードを抽出する検索ワード抽出手段と、
前記検索ワード抽出手段により抽出された前記検索ワードと前記番組情報保持手段に保持された前記番組補足データとを用いて、前記複数の番組の中から前記検索ワードに関連する前記関連番組を検索する番組検索手段と、を備える、ことを特徴とする。
【手続補正８】
【補正対象書類名】明細書
【補正対象項目名】００１１
【補正方法】変更
【補正の内容】
【００１１】
上記の目的を達成するために、本発明の、さらに他の実施形態に係る番組検索装置の制御方法は、
複数の番組のそれぞれに対応するチャンネル情報及び放送時間情報を含む番組補足データを保持する番組情報保持工程と、
ユーザによる検索要求を受け付ける受付工程と、
電源が投入されてから前記検索要求を受け付けた時点までに選局されたチャンネル情報及び時間情報を含む視聴履歴と、前記番組情報保持工程で保持された前記番組補足データとに基づいて、視聴された番組を特定する視聴判断工程と、
前記視聴判断工程により特定された番組に関する前記番組補足データから、予め定められた抽出条件に従って検索ワードを抽出する検索ワード抽出工程と、
前記検索ワード抽出工程により抽出された前記検索ワードと、前記番組情報保持工程で保持された前記番組補足データとを用いて、前記複数の番組の中から前記検索ワードに関連する関連番組を検索する番組検索工程と、を備えることを特徴とする。
【手続補正９】
【補正対象書類名】明細書
【補正対象項目名】００１２
【補正方法】変更
【補正の内容】
【００１２】
上記の目的を達成するために、本発明の、さらに他の実施形態に係る番組検索装置の制御方法は、
複数の番組のそれぞれに対応するチャンネル情報及び放送時間情報を含む番組補足データ、及び前記複数の番組をそれぞれ時間経過に沿って分割した複数のセグメントの各々に関するセグメント補足データを保持する番組情報保持工程と、
視聴者からセグメントの指定要求を受け、当該指定要求の履歴を保持する指定要求保持工程と、
前記指定要求保持工程で保持された前記指定要求の履歴に基づいて、当該指定要求を受けたセグメントに関する前記セグメント補足データから、予め定められた抽出条件に従って検索ワードを抽出する検索ワード抽出工程と、
前記検索ワード抽出工程により抽出された前記検索ワードと前記番組情報保持工程で保持された前記番組補足データとを用いて、前記複数の番組の中から前記検索ワードに関連する前記関連番組を検索する番組検索工程と、を備える、ことを特徴とする。
【手続補正１０】
【補正対象書類名】明細書
【補正対象項目名】００５０
【補正方法】変更
【補正の内容】
【００５０】
＜実施形態２＞
実施形態１では、選局動作を監視した視聴履歴に基づいて視聴判断を行う場合について述べたが、実施形態２では、選局動作に加えて、選局以外の他の動作も監視した視聴履歴に基づいて視聴判断を行う。ここで、選局以外の他の動作とは、電子番組表の表示／操作や２画面での番組視聴等の動作のことである。従って、全画面を使っての写真表示やインターネット視聴等の選局を伴わない操作については、視聴履歴の対象外となる。